(57)【特許請求の範囲】
【請求項１】
プロテクタ本体と蓋体とを組み付け、この組み付けられた前記プロテクタ本体と前記蓋体との間にハーネス収容室を設け、このハーネス収容室に複数の電線を並列状態に収容し、この収容された複数の電線が前記ハーネス収容室内で一体的に捻られることによって該複数の電線の並列方向が前記ハーネス収容室の両端側では異なる方向となるワイヤハーネス用プロテクタにおいて、
前記プロテクタ本体及び前記蓋体を前記複数の電線が捻られる箇所をほぼ境にそれぞれ２分割して第１プロテクタ本体と該第１プロテクタ本体の底面部と異なる向きの底面部を予め有した第２プロテクタ本体及び第１蓋体と第２蓋体とで構成し、これら２分割された一方の第１プロテクタ本体と第１蓋体及び他方の第２プロテクタ本体と第２蓋体を少なくとも第１プロテクタ本体に形成された複数のリブを介してそれぞれ前記複数の電線を並列状態に規制して平面配索した状態で組み付け自在にすると共に、前記第１プロテクタ本体及び前記第１蓋体と前記第２プロテクタ本体及び前記第２蓋体との間に収容された前記複数の電線を一体的に所定角度捻った方向でこれら両者を当該両者に設けられた係合部と係止部を介して結合自在にし、かつ、前記複数の電線を並列状態に平面配索した状態で固定する複数の位置決めリブを有した位置決めインナー部材の係止部を、前記第２プロテクタ本体の所定箇所に設けられた係合部に装着自在にしたことを特徴とするワイヤハーネス用プロテクタ。
【請求項２】
請求項１記載のワイヤハーネス用プロテクタであって、
前記２分割された一方の第１プロテクタ本体と第１蓋体とに収容された前記複数の電線の並列方向は横並び方向であり、前記２分割された他方の第２プロテクタ本体と第２蓋体とに収容された前記複数の電線の並列方向は縦並び方向であることを特徴とするワイヤハーネス用プロテクタ。
【請求項３】
請求項１又は請求項２記載のワイヤハーネス用プロテクタであって、
前記２分割された他方の第２プロテクタ本体と前記第２蓋体は前記複数の電線の並列方向を同一としつつ折り曲げる折曲部を有することを特徴とするワイヤハーネス用プロテクタ。
【請求項４】
ワイヤハーネス用プロテクタを構成するプロテクタ本体と蓋体とを組み付け、この組み付けられた前記プロテクタ本体と前記蓋体との間に設けられたハーネス収容室に複数の電線を並列状態に収容し、この収容された複数の電線が前記ハーネス収容室内で一体的に捻られることによって該複数の電線の並列方向が前記ハーネス収容室の両端側では異なる方向となるワイヤハーネスの組立て方法において、
前記複数の電線が捻られる箇所をほぼ境にそれぞれ２分割して第１プロテクタ本体と該第１プロテクタ本体の底面部と異なる向きの底面部を予め有した第２プロテクタ本体及び第１蓋体と第２蓋体とで構成したプロテクタ本体及び蓋体を用い、これら２分割された一方の第１プロテクタ本体と第１蓋体を少なくとも第１プロテクタ本体に形成された複数のリブを介して前記複数の電線を並列状態に規制して平面配索した状態で組み付けると共に、該複数の電線を複数の位置決めリブを有した位置決めインナー部材を介して並列状態に規制して平面配索した状態で組み付け、次に、この位置決めインナー部材で固定された前記複数の電線を前記第１プロテクタ本体及び前記第１蓋体の折り曲げられた部分に沿うように一体的に所定角度捻り、この状態を保持しつつ、前記２分割された他方の第２プロテクタ本体と第２蓋体の該第２プロテクタ本体に前記位置決めインナー部材を装着すると共に、前記複数の電線を該第２プロテクタ本体の前記第１プロテクタ本体の底面部と異なる向きの底面部に並列状態に平面配索し、次に、前記第２プロテクタ本体及び前記第２蓋体と前記第１プロテクタ本体及び前記第１蓋体とを結合するようにしたことを特徴とするワイヤハーネスの組立て方法。
【請求項５】
ワイヤハーネス用プロテクタを構成するプロテクタ本体と蓋体とを組み付け、この組み付けられた前記プロテクタ本体と前記蓋体との間に設けられたハーネス収容室に複数の電線を並列状態に収容し、この収容された複数の電線が前記ハーネス収容室内で一体的に捻られることによって該複数の電線の並列方向が前記ハーネス収容室の両端側では異なる方向となるワイヤハーネスにおいて、
前記複数の電線が捻られる箇所をほぼ境にそれぞれ２分割して構成されたプロテクタ本体及び蓋体の組み付けられた一方の第１プロテクタ本体と第１蓋体及び該第１プロテクタ本体の底面部と異なる向きの底面部を予め有した他方の第２プロテクタ本体と第２蓋体との間に少なくとも第１プロテクタ本体に形成された複数のリブ及び複数の位置決めリブを有した位置決めインナ部材を介して前記複数の電線が並列状態に規制して平面配索した状態で収容され、かつ、前記第１プロテクタ本体及び前記第１蓋体と前記第２プロテクタ本体及び前記第２蓋体とをこれら両者に設けられた係合部と係止部を介して結合する際に当該両者間で前記複数の電線が一体的に所定角度捻った方向で収容されるようにしたことを特徴とするワイヤハーネス。
【発明の詳細な説明】
【０００１】
【発明の属する技術分野】
本発明は、配索された複数の電線が損傷を受けないように収容されると共に保護されるワイヤハーネス用プロテクタに関する。
【０００２】
【従来の技術】
例えば自動車用の電装品は多種多様であり、これらの配線に使用される複数の電線（ワイヤハーネス）の配索条件も多種多様である。そのため、これら複数の電線が損傷を受けないように保護するワイヤハーネス用プロテクタの形状も種々のものが求められ、例えばワイヤハーネス用プロテクタに収容された複数の電線が一体的に捻られることによって該複数の電線の並列方向がワイヤハーネス用プロテクタの出入口（両端側）では異なる方向となるものもある。
【０００３】
この種の従来のワイヤハーネス用プロテクタを図１２〜図１４に示す。図１２はワイヤハーネス用プロテクタの斜視図、図１３は図１２中Ｆ−Ｆ線に沿う断面図、図１４は図１２中Ｇ−Ｇ線に沿う断面図である。
【０００４】
図１２〜図１４に示すように、ワイヤハーネス用プロテクタ１は、底面部２ａとこの底面部２ａの両側に立設された両側壁部２ｂ，２ｂとを有するプロテクタ本体２と、このプロテクタ本体２の上面側を覆うようにして組み付けられる蓋体３とを備えている。組み付けられたプロテクタ本体２と蓋体３との間にハーネス収容室４が形成され、このハーネス収容室４内には例えば高圧系の複数の電線Ｗが所定の並列状態で収容されている。即ち、複数の電線Ｗは、図１２の区間Ｅ１では図１３に示すように横並び方向に配置され、図１２の区間Ｅ２では図１４に示すように縦並び方向に配置され、これら区間Ｅ１と区間Ｅ２との間の区間Ｅ３では捻れて配置されている。これにより、ワイヤハーネス用プロテクタ１の両端より突出する複数の電線Ｗの並列方向が約９０度異なる方向となっている。
【０００５】
次に、ワイヤハーネス用プロテクタ１におけるワイヤハーネスの収容作業を説明する。プロテクタ本体２内の区間Ｅ１に複数の電線Ｗを横並びに平面配索し、この横並び状態を例えば図示しない仮止め部材で保持する。そして、複数の電線Ｗを一体的に約９０度捻り、この捻った部分をプロテクタ本体２内の区間Ｅ３に捻り配索し、かつ、捻られた部分より前方側を区間Ｅ２に縦並びに立体配索して配置する。最後に、プロテクタ本体２の上方より蓋体３を被せてプロテクタ本体２に蓋体３を結合すれば完了する。
【０００６】
【発明が解決しようとする課題】
しかしながら、前記従来のワイヤハーネス用プロテクタ１では、プロテクタ本体２内の区間Ｅ１に複数の電線Ｗを横並びに配置し、この横並び状態を仮止め部材等で保持する必要があるため、仮止め部材のような別部材が必要であり、その分部品点数の増加になった。また、複数の電線Ｗを捻り、この捻った部分を捻り復元力に抗しながらプロテクタ本体２内に捻り配索及び立体配索する必要があるため、ワイヤハーネスの収容作業性が悪かった。
【０００７】
一方、仮止め部材を使用せずにワイヤハーネスの収容作業を行う場合には、プロテクタ本体２内の区間Ｅ１に収容された複数の電線Ｗの部分を手等で押さえながら複数の電線Ｗを捻り、かつ、捻った部分等をプロテクタ本体２内に縦並びに立体配索しなければならず、収容作業が非常に面倒であった。
【０００８】
そこで、本発明は、前記した課題を解決すべくなされたものであり、仮止め部材のような別部材を使用せず、かつ、複数の電線の収容作業性を向上させることができるワイヤハーネス用プロテクタを提供することを目的とする。
【０００９】
【課題を解決するための手段】
請求項１の発明は、プロテクタ本体と蓋体とを組み付け、この組み付けられた前記プロテクタ本体と前記蓋体との間にハーネス収容室を設け、このハーネス収容室に複数の電線を並列状態に収容し、この収容された複数の電線が前記ハーネス収容室内で一体的に捻られることによって該複数の電線の並列方向が前記ハーネス収容室の両端側では異なる方向となるワイヤハーネス用プロテクタにおいて、前記プロテクタ本体及び前記蓋体を前記複数の電線が捻られる箇所をほぼ境にそれぞれ２分割して第１プロテクタ本体と該第１プロテクタ本体の底面部と異なる向きの底面部を予め有した第２プロテクタ本体及び第１蓋体と第２蓋体とで構成し、これら２分割された一方の第１プロテクタ本体と第１蓋体及び他方の第２プロテクタ本体と第２蓋体を少なくとも第１プロテクタ本体に形成された複数のリブを介してそれぞれ前記複数の電線を並列状態に規制して平面配索した状態で組み付け自在にすると共に、前記第１プロテクタ本体及び前記第１蓋体と前記第２プロテクタ本体及び前記第２蓋体との間に収容された前記複数の電線を一体的に所定角度捻った方向でこれら両者を当該両者に設けられた係合部と係止部を介して結合自在にし、かつ、前記複数の電線を並列状態に平面配索した状態で固定する複数の位置決めリブを有した位置決めインナー部材の係止部を、前記第２プロテクタ本体の所定箇所に設けられた係合部に装着自在にしたことを特徴とする。
【００１０】
このワイヤハーネス用プロテクタでは、第１プロテクタ本体内に複数の電線を並列状態に平面配索し、この第１プロテクタ本体に第１蓋体を組み付け、第１プロテクタ本体と第１蓋体より突出した複数の電線を第２プロテクタ本体内に並列状態で平面配索し、この第２プロテクタ本体に第２蓋体を組み付けると共に第２プロテクタ本体及び第２蓋体と第１プロテクタ本体及び第１蓋体とを所定の方向で結合すれば良いものであり、第１分割側の第１プロテクタ本体と第１蓋体及び第２分割側の第２プロテクタ本体と第２蓋体ともに複数の電線を平面配索すれば良く、捻り配索や立体配索をする必要がない。
【００１１】
請求項２の発明は、請求項１記載のワイヤハーネス用プロテクタであって、前記２分割された一方の第１プロテクタ本体と第１蓋体とに収容された前記複数の電線の並列方向は横並び方向であり、前記２分割された他方の第２プロテクタ本体と前記第２蓋体とに収容された前記複数の電線の並列方向は縦並び方向であることを特徴とする。
【００１２】
このワイヤハーネス用プロテクタでは、２分割された一方の第１プロテクタ本体と第１蓋体との間の複数の電線の並列方向と２分割された他方の第２プロテクタ本体と第２蓋体との間の複数の電線の並列方向とが９０度となるものについて、請求項１の発明と同様の作用が得られる。
【００１３】
請求項３の発明は、請求項１又は請求項２記載のワイヤハーネス用プロテクタであって、前記２分割された他方の第２プロテクタ本体と第２蓋体は前記複数の電線の並列方向を同一としつつ折り曲げる折曲部を有することを特徴とする。
【００１４】
このワイヤハーネス用プロテクタでは、２分割された他方の第２プロテクタ本体と第２蓋体との間の複数の電線を並列方向を同一としつつ折り曲げるものについて、請求項１又は請求項２の発明と同様の作用が得られる。
また、請求項４の発明は、ワイヤハーネス用プロテクタを構成するプロテクタ本体と蓋体とを組み付け、この組み付けられた前記プロテクタ本体と前記蓋体との間に設けられたハーネス収容室に複数の電線を並列状態に収容し、この収容された複数の電線が前記ハーネス収容室内で一体的に捻られることによって該複数の電線の並列方向が前記ハーネス収容室の両端側では異なる方向となるワイヤハーネスの組立て方法において、前記複数の電線が捻られる箇所をほぼ境にそれぞれ２分割して第１プロテクタ本体と該第１プロテクタ本体の底面部と異なる向きの底面部を予め有した第２プロテクタ本体及び第１蓋体と第２蓋体とで構成したプロテクタ本体及び蓋体を用い、これら２分割された一方の第１プロテクタ本体と第１蓋体を少なくとも第１プロテクタ本体に形成された複数のリブを介して前記複数の電線を並列状態に規制して平面配索した状態で組み付けると共に、該複数の電線を複数の位置決めリブを有した位置決めインナー部材を介して並列状態に規制して平面配索した状態で組み付け、次に、この位置決めインナー部材で固定された前記複数の電線を前記第１プロテクタ本体及び前記第１蓋体の折り曲げられた部分に沿うように一体的に所定角度捻り、この状態を保持しつつ、前記２分割された他方の第２プロテクタ本体と第２蓋体の該第２プロテクタ本体に前記位置決めインナー部材を装着すると共に、前記複数の電線を該第２プロテクタ本体の前記第１プロテクタ本体の底面部と異なる向きの底面部に並列状態に平面配索し、次に、前記第２プロテクタ本体及び前記第２蓋体と前記第１プロテクタ本体及び前記第１蓋体とを結合するようにしたことを特徴とする。
このワイヤハーネスの組立て方法では、ワイヤハーネスの捻れ角の大きさに係わらずワイヤハーネスの収容作業性が向上する。
さらに、請求項５の発明は、ワイヤハーネス用プロテクタを構成するプロテクタ本体と蓋体とを組み付け、この組み付けられた前記プロテクタ本体と前記蓋体との間に設けられたハーネス収容室に複数の電線を並列状態に収容し、この収容された複数の電線が前記ハーネス収容室内で一体的に捻られることによって該複数の電線の並列方向が前記ハーネス収容室の両端側では異なる方向となるワイヤハーネスにおいて、前記複数の電線が捻られる箇所をほぼ境にそれぞれ２分割して構成されたプロテクタ本体及び蓋体の組み付けられた一方の第１プロテクタ本体と第１蓋体及び該第１プロテクタ本体の底面部と異なる向きの底面部を予め有した他方の第２プロテクタ本体と第２蓋体との間に少なくとも第１プロテクタ本体に形成された複数のリブ及び複数の位置決めリブを有した位置決めインナ部材を介して前記複数の電線が並列状態に規制して平面配索した状態で収容され、かつ、前記第１プロテクタ本体及び前記第１蓋体と前記第２プロテクタ本体及び前記第２蓋体とをこれら両者に設けられた係合部と係止部を介して結合する際に当該両者間で前記複数の電線が一体的に所定角度捻った方向で収容されるようにしたことを特徴とする。
このワイヤハーネスでは、捻れ角の大きさに係わらずワイヤハーネス用プロテクタ内に容易に収容される。
【００１５】
【発明の実施の形態】
以下、本発明の一実施形態を図面に基づいて説明する。
【００１６】
図１〜図１１は本発明の一実施形態を示し、図１はワイヤハーネス用プロテクタの組み付け完了時の斜視図、図２は同ワイヤハーネス用プロテクタの分解斜視図、図３は第１プロテクタ本体の斜視図、図４は第１蓋体の斜視図、図５は第２プロテクタ本体の斜視図、図６は第２蓋体の斜視図、図７（Ａ）は第１位置決めインナー部材の底面図、図７（Ｂ）は第１位置決めインナー部材の正面図、図７（Ｃ）は図７（Ａ）中Ｄ−Ｄ線に沿う断面図、図８（Ａ）は第２位置決めインナー部材の平面図、図８（Ｂ）は第２位置決めインナー部材の正面図、図８（Ｃ）は図８（Ａ）中Ｅ−Ｅ線に沿う断面図、図９は図１中Ａ−Ａ線に沿う断面図、図１０は図１中Ｂ−Ｂ線に沿う断面図、図１１は図１中Ｃ−Ｃ線に沿う断面図である。
【００１７】
図２に示すように、ワイヤハーネス用プロテクタ１０は、高圧系の３本の電線Ｗ（ワイヤハーネス）を収容すると共に保護するもので、合成樹脂製のプロテクタ本体１１と合成樹脂製の蓋体１２とを有する。このプロテクタ本体１１と蓋体１２は、３本の電線Ｗが捻られる箇所をほぼ境としてそれぞれ２分割部材として構成されている。即ち、２分割部材である各一方（第１分割側）の第１プロテクタ本体１３と第１蓋体１４は、３本の電線Ｗを並列状態に平面配索した状態で組み付け自在になっている。また、２分割部材である各他方（第２分割側）の第２プロテクタ本体１５と第２蓋体１６は、第１分割側の第１プロテクタ本体１３と第１蓋体１４とは並列方向自体が約９０度異なるが、３本の電線Ｗを同様に並列状態に平面配索した状態で組み付け自在になっている。
【００１８】
図３に示すように、第１プロテクタ本体１３は、底面部１７とこの底面部１７の両側に一体突出形成された両側面部１８，１８とを有し、この上方に第１蓋体１４が組み付けられることによってその内部に図９に示す第１分割側のハーネス収容室１９が形成される。また、底面部１７上には一端側から他端方向に向かって２本の仕切リブ２０が平行に一体突出形成されており、第１プロテクタ本体１３内に配索された３本の電線Ｗは各仕切リブ２０及び側面部１８に規制されることで並列状態に平面配索した状態で収容できるようになっている。さらに、各仕切リブ２０と両側面部１８，１８との各間には各電線Ｗを位置決めする円弧状の位置決めリブ２１が一体突出形成されている。
【００１９】
また、第１プロテクタ本体１３はその他端側近くで約９０度折り曲げられており、第１プロテクタ本体１３の一方の出入口２２に対して他方の出入口２３が約９０度程度に方向変更されている。さらに、両側面部１８，１８には第１蓋体１４に結合するための係止爪ロック部（係合部）２４が適所に設けられていると共に、第２蓋体１６や第２プロテクタ本体１５に結合するための係止爪（係止部）２５が適所に設けられている。
【００２０】
図４に示すように、第１蓋体１４は、一直線状に伸びる平板状部２６と、この平板状部２６の他端側に一体成形され、上方に傾斜しつつ約９０度折り曲げられた方向に延びる傾斜立設部２７とを備えている。平板状部２６の下面で、かつ、第１プロテクタ本体１３の各位置決めリブ２１に対向する位置には同じく円弧状の位置決めリブ２８が一体突出形成されており、第１プロテクタ本体１３と第１蓋体１４とが組み付けられた場合に双方の位置決めリブ２１，２８によって各電線Ｗが正確に位置決めされるようになっている。
【００２１】
また、平板状部２６の両側端で、かつ、第１プロテクタ本体１３の係止爪ロック部２４に対向する位置には係止爪（係止部）２９がそれぞれ設けられており、第１プロテクタ本体１３と第１蓋体１４とは各係止爪２９が各係止爪ロック部材２４にそれぞれ係止されることによって組み付けられるようになっている。さらに、第１蓋体１４の傾斜立設部２７には第２蓋体１６や第２プロテクタ本体１５に結合するための係止爪（係止部）３０が適所に設けられている。
【００２２】
図５に示すように、第２プロテクタ本体１５は、第１プロテクタ本体１３の底面部１７とは方向が約９０度異なる方向である底面部３２とこの底面部３２の両側に一体突出形成された両側面部３３，３３とを有し、この上方に第２蓋体１６が組み付けられることによってその内部に図１０，図１１に示す第２分割側のハーネス収容室３４が形成される。また、底面部３２上には２本の仕切リブ３５，３５が平行に一体突出形成されており、第２プロテクタ本体１５内に配索された３本の電線Ｗは各仕切リブ３５及び側面部３３に規制されることで並列状態に平面配索した状態で収容できるようになっている。
【００２３】
また、第２プロテクタ本体１５の中央部分は３本の電線Ｗの並列方向を同一としつつ約９０度折り曲げる折曲部３６となっており、第２プロテクタ本体１５の一方の出入口３７に対して他方の出入口３８が約９０度程度に方向変更されている。この折曲部３６の両側近傍位置には第１位置決めインナー部材４０と第２位置決めインナー部材４１とがそれぞれ装着されるための係止溝（係止部）４２が設けられている。さらに、折曲部３６の一方の近傍位置で装着される第１位置決めインナー部材４０の対向する位置には、３本の電線Ｗのそれぞれを位置決めするための３条の円弧状の位置決めリブ３９が一体突出形成されている。
【００２４】
また、両側面部３３，３３には第２蓋体１６に結合するための係止爪ロック部（係合部）４３が適所に設けられていると共に、第１蓋体１４や第１プロテクタ本体１３に結合するための係止爪ロック部（係合部）４４が適所に設けられている。
【００２５】
図６に示すように、第２蓋体１６は、平板状ベース部４５と、この平板状ベース部４５の他端側に回転自在に設けられた平板状回転部４６とを備えており、平板状回転部４６の一部は第２プロテクタ本体１５の折曲部３６と同様に約９０度折り曲げられた折曲部４７として形成されている。また、平板状ベース部４５及び平板状回転部４６の両側端で、かつ、第２プロテクタ本体１５の係止爪ロック部４３に対向する位置には係止爪（係止部）４８がそれぞれ設けられており、第２プロテクタ本体１５と第２蓋体１６とは各係止爪４８が各係止爪ロック部４３にそれぞれ係止されることによって組み付けられる。さらに、第２蓋体１６の平板状ベース部４５には第１蓋体１４や第１プロテクタ本体１３に結合するための係止爪ロック部（係合部）４９が適所に設けられている。
【００２６】
図２，図７に示すように、第１位置決めインナー部材４０は、上面部５０とこの上面部５０の両側に一体突出形成された両側面部５１，５１とを有し、この両側面部５１，５１には係止爪（係止部）５２がそれぞれ設けられている。第１位置決めインナー部材４０は第２プロテクタ本体１５に挿入し、一対の係止爪５２，５２を各係止溝４２，４２に係止することによって装着される。上面部５０の内面には円弧状の位置決めリブ５３が３条一体突出形成されており、第１位置決めインナー部材４０が第２プロテクタ本体１５に装着された状態では、この位置決めリブ５３と第２プロテクタ本体１５の位置決めリブ３９とによって３本の電線Ｗがそれぞれ位置決めされるようになっている。
【００２７】
図２，図８に示すように、第２位置決めインナー部材４１は、インナーベース部５５とこのインナーベース部５５にヒンジ部５６を介して連結された蓋部５７とを備えており、蓋部５７とインナーベース部５５とは互いのロック爪（係止部）５８同士の係脱によって着脱自在に設けられている。インナーベース部材５５には一対の係止爪（係止部）５９，５９が設けられている。そして、第２位置決めインナー部材４１を第２プロテクタ本体１５に挿入し、一対の係止爪５９，５９を各係止溝４２，４２に係止することによって第２プロテクタ本体１５に装着されるようになっている。
【００２８】
また、インナーベース部５５と蓋部５７との互いの対向面側には位置決めリブ６０が３条それぞれ一体突出形成されており、この双方の位置決めリブ６０によって３本の電線Ｗを第２位置決めインナー部材４１の単独で位置決めできるようになっている。さらに、第２プロテクタ本体１５に装着された場合には３本の電線Ｗを第２位置決めインナー部材４１を介して第２プロテクタ本体１５にそれぞれ位置決めできるようになっている。
【００２９】
次に、上記ワイヤハーネス用プロテクタ１０におけるワイヤハーネスの収容作業を説明する。図２に示すように、図示しない所定の治具上に第１プロテクタ本体１３と第２位置決めインナー部材４１とを所定の間隔を置いてセットする。そして、第１プロテクタ本体１３の底面部１７に３本の電線Ｗを並列状態に平面配索した状態で配置する。また、第１プロテクタ本体１３内に配索された３本の電線Ｗを第２位置決めインナー部材４１のインナーベース部５５内に並列状態に平面配索した状態で配置する。
【００３０】
次に、第２位置決めインナー部材４１のインナーベース部５５に蓋部５７を装着して第２位置決めインナー部材４１で３本の電線Ｗを位置決めした状態で固定する。そして、第２位置決めインナー部材４１で固定された３本の電線Ｗを図２にて矢印で示す方向に約９０度折り曲げ、この折り曲げられた３本の電線Ｗの箇所を第１プロテクタ本体１３の他方の出入口２３上に配置する。
【００３１】
次に、この状態を保持しつつ第１プロテクタ本体１３の上方から第１蓋体１４を被せ、第１プロテクタ本体１３の係止ロック部材２４と第２蓋体１６の係止爪２９とを係止することによって第１プロテクタ本体１３と第１蓋体１４とを組み付ける。これによって３本の電線Ｗは、図９に示すように、第１プロテクタ本体１３と第１蓋体１４との第１分割側のハーネス収容室１９内に横並び状態で収容される。
【００３２】
次に、第２位置決めインナー部材４１で固定された３本の電線Ｗを一体的に約９０度捻り、この捻った状態で３本の電線Ｗを固定している第２位置決めインナー部材４１を第２プロテクタ本体１５に装着すると共に、３本の電線Ｗを第２プロテクタ本体１５の底面部３２に並列状態に平面配索する。この平面配索は、３本の電線Ｗが第２位置決めインナー部材４１で位置決めされているため容易にできる。
【００３３】
次に、第１位置決めインナー部材４０を第２プロテクタ本体１５に装着し、第１位置決めインナー部材４０の位置決めリブ５３と第２プロテクタ本体１５の位置決めリブ３９にて位置決めされる。これで、３本の電線Ｗはほぼ第２プロテクタ本体１５に所定の並列状態で仮固定されることになる。即ち、この実施形態では、第２位置決めインナー部材４１と第１位置決めインナー部材４０の装着によって第２プロテクタ本体１５における３本の電線Ｗの並列状態の平面配索がほぼ完了する。
【００３４】
次に、第２プロテクタ本体１５に第２蓋体１６を被せ、第２プロテクタ本体１５の係止爪ロック部４３と第２蓋体１６の係止爪４８とを係止することによって第２プロテクタ本体１５と第２蓋体１６とを組み付ける。これによって３本の電線Ｗは、図１０，図１１に示すように、第２プロテクタ本体１５と第２蓋体１６との第２分割側のハーネス収容室３４内に縦並び状態で収容される。尚、第２分割側の他方の出入口３８側は、直立方向の縦並びに対して少し傾斜している。さらに、第２プロテクタ本体１５と第２蓋体１６との組み付けと同時に第２プロテクタ本体１５及び第２蓋体１６と第１プロテクタ本体１３及び第１蓋体１４との間を係止爪３０及び係止爪ロック部４９等で係止して結合すれば、３本の電線Ｗの収容作業が完了する。尚、第２分割側と第１分割側との結合作業は第２プロテクタ本体１５と第２蓋体１６との組み付け作業よりも先に、または、同時に行う場合もあり、作業の前後は各プロテクタ本体１３，１５と各蓋体１４，１６の設計態様による。
【００３５】
上記３本の電線Ｗの収容作業において、第１プロテクタ本体１３と第１蓋体１４との収容作業、及び、第２プロテクタ本体１５と第２蓋体１６との収容作業で共に３本の電線Ｗを並列状態に平面配索すれば良く、捻り配索や立体配索をする必要がないため、従来例の仮止め部材のような別部材を使用せず、且つ、ワイヤハーネスの収容作業が容易にできるという効果が得られる。
【００３６】
この実施形態では、第１プロテクタ本体１３と第１蓋体１４とに収容された３本の電線Ｗ（ワイヤハーネス）の並列方向は横並び方向であり、第２プロテクタ本体１５と第２蓋体１６とに収容された３本の電線Ｗの並列方向は縦並び方向であるので、第１分割側のワイヤハーネスの並列方向と第２分割側のワイヤハーネスの並列方向とが９０度となるものについて、従来例の仮止め部材のような別部材を使用せず、かつ、ワイヤハーネスの収容作業性を向上させることができる。尚、この実施形態では、ワイヤハーネスの捻れ角が９０であるが、捻れ角の大きさに関係なく本発明が適用できることは勿論である。捻れ角が大きくなればなるほど従来例では収容作業に困難を伴うが、本発明では捻れ角の大きさに係わらずワイヤハーネスの収容作業が容易であり、有効である。
【００３７】
また、この実施形態では、第２プロテクタ本体１５と第２蓋体１６とは、３本の電線Ｗの並列方向を同一としつつ折り曲げる折曲部３６，４７を有するので、第２分割側のワイヤハーネスの並列方向を同一としつつ折り曲げるものについて従来例の仮止め部材のような別部材を使用せず、かつ、ワイヤハーネスの収容作業性を向上させることができる。
【００３８】
尚、前記実施形態では、ワイヤハーネス用プロテクタ１０は、３本の電線Ｗを収容するものを示したが、２本又は４本又はそれ以上の複数の電線を収容し、その内部で複数の電線を一体的に捻り、その並列方向が両端側で異なる方向とされるものであれば本発明が適用できることは勿論である。
【００３９】
【発明の効果】
以上説明したように、請求項１の発明によれば、２分割された一方の第１プロテクタ本体内に複数の電線を並列状態にそれぞれ平面配索し、この第１プロテクタ本体に第１蓋体を組み付け、第１プロテクタ本体と第１蓋体より突出した複数の電線を２分割されると共に該第１プロテクタ本体の底面部と異なる向きの底面部を予め有した他方の第２プロテクタ本体内に並列状態でそれぞれ平面配索し、この第２プロテクタ本体に第２蓋体を組み付けると共に該第２プロテクタ本体及び第２蓋体と第１プロテクタ本体及び第１蓋体とを所定の方向で連結すれば良いものであり、２分割された一方の第１プロテクタ本体と第１蓋体及び他方の第２プロテクタ本体と第２蓋体に複数の電線を平面配索すれば良く、捻り配索や立体配索をする必要がない。これにより、仮止め部材等の別部材を使用せず、かつ、ワイヤハーネスの収容作業性をより一段と向上させることができる。
【００４０】
請求項２の発明によれば、２分割された一方の第１プロテクタ本体と第１蓋体との間に収容された複数の電線の並列方向は横並び方向であり、２分割された他方の第２プロテクタ本体と第２蓋体との間に収容された複数の電線の並列方向は縦並び方向であるので、一方の第１プロテクタ本体と第１蓋体との間の複数の電線の並列方向と、他方の第２プロテクタ本体と第２蓋体との間の複数の電線の並列方向とが９０度となるものについて請求項１の発明と同様の効果が得られる。
【００４１】
請求項３の発明によれば、２分割された他方の第２プロテクタ本体と第２蓋体は複数の電線の並列方向を同一としつつ折り曲げる折曲部をそれぞれ有するので、他方の第２プロテクタ本体と第２蓋体との間の複数の電線を並列方向を同一としつつ折り曲げるものについて請求項１又は請求項２の発明と同様の効果が得られる。
また、請求項４の発明によれば、ワイヤハーネスの捻れ角の大きさに係わらずワイヤハーネスの収容作業性を向上させることができる。
さらに、請求項５の発明によれば、捻れ角の大きさに係わらずワイヤハーネスをワイヤハーネス用プロテクタ内に容易に収容させることができる。
【図面の簡単な説明】
【図１】本発明の一実施形態を示し、ワイヤハーネス用プロテクタの組み付け完了時の斜視図である。
【図２】本発明の一実施形態を示し、ワイヤハーネス用プロテクタの分解斜視図である。
【図３】本発明の一実施形態を示し、第１プロテクタ本体の斜視図である。
【図４】本発明の一実施形態を示し、第１蓋体の斜視図である。
【図５】本発明の一実施形態を示し、第２プロテクタ本体の斜視図である。
【図６】本発明の一実施形態を示し、第２蓋体の斜視図である。
【図７】本発明の一実施形態を示し、（Ａ）は第１位置決めインナー部材の底面図、（Ｂ）は第１位置決めインナー部材の正面図、（Ｃ）は図７（Ａ）中Ｄ−Ｄ線に沿う断面図である。
【図８】本発明の一実施形態を示し、（Ａ）は第２位置決めインナー部材の平面図、（Ｂ）は第２位置決めインナー部材の正面図、（Ｃ）は図８（Ａ）中Ｅ−Ｅ線に沿う断面図である。
【図９】本発明の一実施形態を示し、図１中Ａ−Ａ線に沿う断面図である。
【図１０】本発明の一実施形態を示し、図１中Ｂ−Ｂ線に沿う断面図である。
【図１１】本発明の一実施形態を示し、図１中Ｃ−Ｃ線に沿う断面図である。
【図１２】従来例のワイヤハーネス用プロテクタの斜視図である。
【図１３】図１２中Ｆ−Ｆ線に沿う断面図である。
【図１４】図１２中Ｇ−Ｇ線に沿う断面図である。
【符号の説明】
１０  ワイヤハーネス用プロテクタ
１１  プロテクタ本体
１２  蓋体
１３  第１プロテクタ本体
１４  第１蓋体
１５  第２プロテクタ本体
１６  第２蓋体
１９，３４  ハーネス収容室
３６，４７  折曲部
Ｗ  電線
【図１】
0003730492.tif 000002
【図２】
0003730492.tif 000003
【図３】
0003730492.tif 000004
【図４】
0003730492.tif 000005
【図５】
0003730492.tif 000006
【図６】
0003730492.tif 000007
【図７】
0003730492.tif 000008
【図８】
0003730492.tif 000009
【図９】
0003730492.tif 000010
【図１０】
0003730492.tif 000011
【図１１】
0003730492.tif 000012
【図１２】
0003730492.tif 000013
【図１３】
0003730492.tif 000014
【図１４】
0003730492.tif 000015